(57)【要約】【課題】形状変化が少なく、かつ記録メディア間でのばらつきの少ないホログラフィック記録メディア及びその製造方法を提供する。【解決手段】第１基材の上にホログラフィック記録層形成組成物を付す記録層形成組成物付与手段、第２基材を第１基材のホログラフィック記録層形成組成物を付した面とを対面し圧着させることにより第１基材と第２基材とを所定の間隙とする間隙形成手段、この所定の間隙を保持した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴とするホログラフィック記録メディアの製造方法。【選択図】        図３
2004354586.tif 000002
【特許請求の範囲】
【請求項１】
ホログラフィック記録メディアの製造方法において、第１基材の上にホログラフィック記録層形成組成物を付す記録層形成組成物付与手段、第２基材を第１基材のホログラフィック記録層形成組成物を付した面とを対面し圧着させることにより第１基材と第２基材とを所定の間隙とする間隙形成手段、この所定の間隙を保持した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴とするホログラフィック記録メディアの製造方法。
【請求項２】
ホログラフィック記録メディアの製造方法において、第１基材および第２基材の上にホログラフィック記録層形成組成物を付す記録層形成組成物付与手段、該記録層形成組成物を付した第２基材面と該記録層形成組成物を付した第１基材面とを対面し圧着させることにより第１基材と第２基材とを所定の間隙とする間隙形成手段、この所定の間隙を保持した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴とするホログラフィック記録メディアの製造方法。
【請求項３】
前記第１基材と第２基材を所定の間隙とする間隙形成手段において、第１基材と第２基材とを所定の間隔に保持するための間隙保持部材により行われることを特徴とする請求項１または２記載のホログラフィック記録メディアの製造方法。
【請求項４】
前記第１基材と第２基材を所定の間隙とする間隙形成手段において、第１基材および第２基材を保持するための基材保持部材を用いることを特徴とする請求項１、２または３記載のホログラフィック記録メディアの製造方法。
【請求項５】
前記基材保持部材において、少なくとも第１基材と該基材保持部材とを密着させるために、該基材保持部材に減圧密着手段を有することを特徴とする請求項４記載のホログラフィック記録メディアの製造方法。
【請求項６】
前記基材保持部材において、さらに第２基材と該基材保持部材とを密着させるために、該基材保持部材に減圧密着手段を有することを特徴とする請求項５記載のホログラフィック記録メディアの製造方法。
【請求項７】
前記第１基材と第２基材を所定の間隙とする間隙形成手段において、第１基材を保持した第１基材保持部材と第２基材を保持した第２基材保持部材とを合わせた際に所定の間隔となるように、第１基材保持部材または第２基材保持部材の少なくとも一つに間隙維持部を設けてあることを特徴とする請求項４、５または６記載のホログラフィック記録メディアの製造方法。
【請求項８】
前記ホログラフィック記録メディアの製造方法において、硬化手段を行った後に基材からはみ出たホログラフィック記録層形成組成物を除去する除去手段を設けたことを特徴とする請求項１〜７の何れか１項に記載のホログラフィック記録メディアの製造方法。
【請求項９】
前記ホログラフィック記録メディアの製造方法において、硬化手段を行った後に該記録メディアを所定のサイズに切断するための切断手段を設けたことを特徴とする請求項１〜７の何れか１項に記載のホログラフィック記録メディアの製造方法。
【請求項１０】
前記ホログラフィック記録メディアの製造方法において、最後にホログラフィック記録層が露出している部分を封止するための封止手段を設けたことを特徴とする請求項１〜９の何れか１項に記載のホログラフィック記録メディアの製造方法。
【請求項１１】
前記ホログラフィック記録メディアの製造方法において、間隙形成手段により所定の間隙とした際に余分なホログラフィック記録層形成組成物を該メディア外に排出するための組成物排出部位を、第１基材または第２基材の少なくともどちらかの基材に有することを特徴とする請求項１〜１０の何れか１項に記載のホログラフィック記録メディアの製造方法。
【請求項１２】
前記ホログラフィック記録メディアの製造方法において、間隙形成手段により所定の間隙とした際に余分なホログラフィック記録層形成組成物を該メディア外に排出するための組成物排出部位を間隙保持部材に有することを特徴とする請求項３〜１１の何れか１項に記載のホログラフィック記録メディアの製造方法。
【請求項１３】
前記ホログラフィック記録メディアの製造方法において、記録層形成組成物付与手段および間隙形成手段が減圧下で行われることを特徴とする請求項１〜１２の何れか１項に記載のホログラフィック記録メディアの製造方法。
【請求項１４】
ホログラフィック記録メディアの製造方法において、ホログラフィック記録層形成組成物を注入する部位と余分な該組成物を排出する部位とを有し、かつ第１基材と第２基材とを所定の間隙に保持するための部材を用いて、前記組成物を射出成形にて第１基材と第２基材との間に充填する記録層形成組成物射出充填手段、この部材にホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴とするホログラフィック記録メディアの製造方法。
【請求項１５】
ホログラフィック記録メディアの製造方法において、ホログラフィック記録層形成組成物を注入する部位と余分な該組成物を排出する部位とを有し、かつ第１基材と第２基材とを所定の間隙に保持するための部材を用いて、前記組成物を吸引にて第１基材と第２基材との間に充填する記録層形成組成物吸引充填手段、この部材にホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴とするホログラフィック記録メディアの製造方法。
【請求項１６】
前記ホログラフィック記録メディアの製造方法において、第１基材と第２基材とを所定の間隙に保持するための部材が、第１基材と第２基材とを所定の間隔に保持するための間隙保持部材により行われることを特徴とする請求項１４または１５記載のホログラフィック記録メディアの製造方法。
【請求項１７】
前記ホログラフィック記録メディアの製造方法において、第１基材と第２基材とを所定の間隙に保持するための部材が、第１基材および第２基材を保持するための基材保持部材であることを特徴とする請求項１４、１５または１６記載のホログラフィック記録メディアの製造方法。
【請求項１８】
前記基材保持部材において、少なくとも第１基材と該基材保持部材とを密着させるために、該基材保持部材に減圧密着手段を有することを特徴とする請求項１７記載のホログラフィック記録メディアの製造方法。
【請求項１９】
前記基材保持部材において、さらに第２基材と該基材保持部材とを密着させるために、該基材保持部材に減圧密着手段を有することを特徴とする請求項１８記載のホログラフィック記録メディアの製造方法。
【請求項２０】
前記第１基材と第２基材を所定の間隙とする間隙形成手段において、第１基材を保持した第１基材保持部材と第２基材を保持した第２基材保持部材とを合わせた際に所定の間隔となるように、第１基材保持部材または第２基材保持部材の少なくとも一つに間隙維持部を設けてあることを特徴とする請求項１７、１８または１９記載のホログラフィック記録メディアの製造方法。
【請求項２１】
前記ホログラフィック記録メディアの製造方法において、硬化手段を行った後に基材からはみ出たホログラフィック記録層形成組成物を除去する除去手段を設けたことを特徴とする請求項１４〜２０の何れか１項に記載のホログラフィック記録メディアの製造方法。
【請求項２２】
前記ホログラフィック記録メディアの製造方法において、硬化手段を行った後に該記録メディアを所定のサイズに切断するための切断手段を設けたことを特徴とする請求項１４〜２０の何れか１項に記載のホログラフィック記録メディアの製造方法。
【請求項２３】
前記ホログラフィック記録メディアの製造方法において、最後にホログラフィック記録層が露出している部分を封止するための封止手段を設けたことを特徴とする請求項１４〜２２の何れか１項に記載のホログラフィック記録メディアの製造方法。
【請求項２４】
前記ホログラフィック記録メディアの製造方法において、第１基材または第２基材の少なくともどちらかの基材にホログラフィック記録層形成組成物を第１基材と第２基材間に注入するための組成物注入部位と、第１基材と第２基材間から排出するための組成物排出部位を有することを特徴とする請求項１４〜２３の何れか１項に記載のホログラフィック記録メディアの製造方法。
【請求項２５】
前記ホログラフィック記録メディアの製造方法において、間隙保持部材にホログラフィック記録層形成組成物を第１基材と第２基材間に注入するための組成物注入部位と、第１基材と第２基材間から排出するための組成物排出部位を有することを特徴とする請求項１４〜２３の何れか１項に記載のホログラフィック記録メディアの製造方法。
【請求項２６】
前記ホログラフィック記録メディアの製造方法において、記録層形成組成物射出充填手段または記録層形成組成物吸引充填手段が減圧下で行われることを特徴とする請求項１４〜２５の何れか１項に記載のホログラフィック記録メディアの製造方法。
【請求項２７】
ホログラフィック記録メディアの製造方法において、ホログラフィック記録層形成組成物を注入する部位を設けた間隙保持部材により第１基材と第２基材とを所定の間隔に保持し、間隙保持部材により保持されたホログラフィック記録層形成組成物を注入する空間を減圧にするための減圧手段、間隙保持部材により隔てられた第１基材と第２基材との間に該記録層形成組成物を充填させる記録層形成組成物充填手段、ホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴とするホログラフィック記録メディアの製造方法。
【請求項２８】
前記ホログラフィック記録メディアの製造方法において、記録層形成組成物充填手段が間隙保持部材のホログラフィック記録層形成組成物を注入する部位を該記録層形成組成物に浸した後、減圧された状態を大気圧まで戻すことにより間隙保持部材により隔てられた第１基材と第２基材との間に前記記録層形成組成物を充填させる圧力調整記録層形成組成物充填手段であることを特徴とする請求項２７記載のホログラフィック記録メディアの製造方法。
【請求項２９】
前記ホログラフィック記録メディアの製造方法において、記録層形成組成物充填手段が減圧手段により間隙保持部材で保持されたホログラフィック記録層形成組成物を注入する空間を減圧した状態を保ったまま、ホログラフィック記録層形成組成物を注入する部位から直接記録層形成組成物を充填する減圧吸引記録層形成組成物充填手段であることを特徴とする請求項２７記載のホログラフィック記録メディアの製造方法。
【請求項３０】
前記ホログラフィック記録メディアの製造方法において、第１基材と第２基材とを所定の間隙に保持するための部材として、第１基材および第２基材を保持するための基材保持部材をさらに用いたことを特徴とする請求項２７、２８または２９記載のホログラフィック記録メディアの製造方法。
【請求項３１】
前記基材保持部材において、少なくとも第１基材と該基材保持部材とを密着させるために、該基材保持部材に減圧密着手段を有することを特徴とする請求項３０記載のホログラフィック記録メディアの製造方法。
【請求項３２】
前記ホログラフィック記録メディアの製造方法において、硬化手段を行った後に基材からはみ出たホログラフィック記録層形成組成物を除去する除去手段を設けたことを特徴とする請求項２７〜３１の何れか１項に記載のホログラフィック記録メディアの製造方法。
【請求項３３】
前記ホログラフィック記録メディアの製造方法において、硬化手段を行った後に該記録メディアを所定のサイズに切断するための切断手段を設けたことを特徴とする請求項２７〜３１の何れか１項に記載のホログラフィック記録メディアの製造方法。
【請求項３４】
前記ホログラフィック記録メディアの製造方法において、最後にホログラフィック記録層が露出している部分を封止するための封止手段を設けたことを特徴とする請求項２７〜３３の何れか１項に記載のホログラフィック記録メディアの製造方法。
【請求項３５】
前記ホログラフィック記録メディアの製造方法において、第１基材の厚みをＤ１と第２基材の厚みをＤ２とし、ホログラフィック記録層の厚みをＤｈとした際に、０．１５≦Ｄｈ／（Ｄ１＋Ｄ２）≦２．０の関係を満たすことを特徴とする請求項１〜３４の何れか１項に記載のホログラフィック記録メディアの製造方法。
【請求項３６】
前記ホログラフィック記録メディアの製造方法において、ホログラフィック記録層の厚みＤｈが２００μｍ以上、２．０ｍｍ以下であることを特徴とする請求項３５記載のホログラフィック記録メディアの製造方法。
【請求項３７】
前記ホログラフィック記録メディアの製造方法において、第１基材の厚みＤ１と第２基材の厚みＤ２との関係がＤ１≦Ｄ２であることを特徴とする請求項３５または３６記載のホログラフィック記録メディアの製造方法。
【請求項３８】
前記ホログラフィック記録メディアの製造方法において、第１基材が透明であり、ホログラフィック記録層と接する面とは反対の面に反射防止処理がなされていることを特徴とする請求項１〜３７の何れか１項に記載のホログラフィック記録メディアの製造方法。
【請求項３９】
前記ホログラフィック記録メディアの製造方法において、第１基材の材質がガラスであることを特徴とする請求項１〜３８の何れか１項に記載のホログラフィック記録メディアの製造方法。
【請求項４０】
前記ホログラフィック記録メディアの製造方法において、第２基材のホログラフィック記録層が積層される面あるいはその反対面に反射率が７０％以上の反射層が積層されていることを特徴とする請求項１〜３９の何れか１項に記載のホログラフィック記録メディアの製造方法。
【請求項４１】
前記ホログラフィック記録メディアの製造方法において、形状がディスク状であることを特徴とする請求項１〜４０の何れか１項に記載のホログラフィック記録メディアの製造方法。
【請求項４２】
前記ホログラフィック記録メディアの製造方法において、形状がカード状であることを特徴とする請求項１〜４０の何れか１項に記載のホログラフィック記録メディアの製造方法。
【請求項４３】
前記請求項１〜４２の何れか１項に記載のホログラフィック記録メディアの製造方法で製造されたことを特徴とするホログラフィック記録メディア。
【発明の詳細な説明】
【０００１】
【発明の属する技術分野】
本発明は大容量化が可能なホログラフィック記録メディアの製造方法に関し、さらにその製造方法で製造されたホログラフィック記録メディアに関するものである。
【０００２】
【従来の技術】
近年、インターネットの普及やブロードバンド化による高速大容量のデータのやり取りが増加しており、また各国政府の推進による電子政府の拡張により、各所属機関に保管されるデータの容量が急速に拡大してきている。さらに、テレビジョン放送におけるハイビジョンの普及や地上波デジタルの普及などにより今後高記憶容量の光記録・再生装置および記録メディアのニーズが高くなると予想されている。
【０００３】
この高記憶容量の光記録・再生装置の中で、ページ方式のメモリシステム、特にホログラフィック記録・再生装置が、従来のメモリ装置に代わるものとして提案され、高記憶容量でかつランダムアクセスが可能な方式であることから近年注目を集めている。このホログラフィック記録・再生装置およびその装置に用いられる記録メディアについては幾つかの総説（例えば、非特許文献１参照。）等に詳細が説明されている。
【０００４】
このホログラフィック記録・再生装置における記録・再生方式としては、例えばホログラフィック記録層の両側に透明な基材が配置されたホログラフィック記録メディアを用いた記録・再生方法（例えば、特許文献１参照。）や、ホログラフィック記録層の片面側に配置された反射面とを備えたホログラフィック記録メディアを用いた記録・再生方式（例えば、特許文献２参照。）などが提案されている。
【０００５】
このホログラフィック記録は、記録層へホログラフィック露光することにより層内の屈折率を部分的に変化させ情報を記録し、この記録されたメディア内の屈折率の変化を読み取ることにより情報を再生させることを基本原理にしており、このホログラフィック記録層としては無機材料を利用した材料（例えば、特許文献３参照。）、光で構造異性化する化合物を利用した材料（例えば、特許文献４参照。）、或いはフォトポリマーの拡散重合を利用した材料（例えば、特許文献５、６参照。）など種々提案されている。これらの中で、特許文献５あるいは特許文献６で記載されているフォトポリマーを使用した材料は、感度が高く比較的屈折率差を設けやすいことから近年盛んに研究されている。
【０００６】
ところで、今までのＣＤ−Ｒ、ＣＤ−ＲＷ、ＤＶＤ−Ｒ、ＤＶＤ−ＲＷ、ＤＶＤ−ＲＡＭ、ＤＶＤ−ＲＯＭ等の光記録メディアと比較して、上述のフォトポリマーを使用したホログラフィック記録メディアにおける記録層膜厚は厚く、通常２００μｍ以上であることから従来の光記録ディスクのスパッタリングあるいはスピンコート等の製造プロセスの適用困難と言う問題を抱えていた。
【０００７】
また、フォトポリマーを使用した光記録メディアにおいて、ホログラフィック露光部と未露光部の屈折率差を持たせる為には、記録層内の化合物の物質移動をし易いようにするのが効果的であるが、反面物質移動がしやすい場合には記録前の光記録メディアの記録層の厚みムラ変動を押さえるのが難しくなったり、ホログラフィック露光により局在化させた屈折率差を設けた部分が記録層内で移動してしまうような欠点も有していた。
【０００８】
このような欠点を改善するために、記録メディアを構成する基材の間に補助部材を設置する方法（例えば、特許文献７参照。）などが提案されているが、基材の位置ずれを防止する意味では効果はあるが、記録層の厚みを均一に保ったり記録メディア間でのばらつきを防止する目的においては十分でない場合が有った。
【０００９】
【特許文献１】
米国特許第５，７１９，６９１号明細書
【００１０】
【特許文献２】
特開２００２−１２３９４９号公報
【００１１】
【特許文献３】
英国特許第９，９２９，９５３号明細書
【００１２】
【特許文献４】
特開平１０−３４０４７９号公報
【００１３】
【特許文献５】
米国特許第５，７５９，７２１号明細書
【００１４】
【特許文献６】
米国特許第６，１０３，４５４号明細書
【００１５】
【特許文献７】
米国公開特許２００２／０１４５７７２号明細書
【００１６】
【非特許文献１】
Ｈａｎｓ  Ｊ．Ｃｏｕｆａｌ等著「Ｈｏｌｏｇｒａｐｈｉｃ  Ｄａｔａ  Ｓｔｏｒａｇｅ（Ｓｐｒｉｎｇｅｒ  Ｓｅｒｉｅｓ  ｉｎ  ＯｐｔｉｃａｌＳｃｉｅｎｃｅｓ，Ｖｏｌ７６）」（Ｓｐｒｉｎｇｅｒ−Ｖｅｒｌａｇ  ＧｍｂＨ  ＆  Ｃｏ．ＫＧ、２０００年０８月）
【００１７】
【発明が解決しようとする課題】
本発明は、上記の課題を鑑みてなされたものであり、本発明の目的は、形状変化が少なく、かつ記録メディア間でのばらつきの少ないホログラフィック記録メディアの製造方法及びその製造方法で製造されたホログラフィック記録メディアを提供することに有る。
【００１８】
【課題を解決するための手段】
本発明の上記目的は、以下の構成によって達成された。
【００１９】
請求項１記載の本発明は、ホログラフィック記録メディアの製造方法において、第１基材の上にホログラフィック記録層形成組成物を付す記録層形成組成物付与手段、第２基材を第１基材のホログラフィック記録層形成組成物を付した面とを対面し圧着させることにより第１基材と第２基材とを所定の間隙とする間隙形成手段、この所定の間隙を保持した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせるホログラフィック記録メディアの製造方法。
【００２０】
請求項２記載の本発明は、ホログラフィック記録メディアの製造方法において、第１基材および第２基材の上にホログラフィック記録層形成組成物を付す記録層形成組成物付与手段、該記録層形成組成物を付した第２基材面と該記録層形成組成物を付した第１基材面とを対面し圧着させることにより第１基材と第２基材とを所定の間隙とする間隙形成手段、この所定の間隙を保持した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴とするホログラフィック記録メディアの製造方法。
【００２１】
請求項３記載の本発明は、前記請求項１または２記載の第１基材と第２基材を所定の間隙とする間隙形成手段において、第１基材と第２基材とを所定の間隔に保持するための間隙保持部材により行われるホログラフィック記録メディアの製造方法。
【００２２】
請求項４記載の本発明は、前記請求項１、２または３記載の第１基材と第２基材を所定の間隙とする間隙形成手段において、第１基材および第２基材を保持するための基材保持部材を用いるホログラフィック記録メディアの製造方法。
【００２３】
請求項５記載の本発明は、前記請求項４記載の基材保持部材において、少なくとも第１基材と該基材保持部材とを密着させるために、該基材保持部材に減圧密着手段を有するホログラフィック記録メディアの製造方法。
【００２４】
請求項６記載の本発明は、前記請求項５記載の基材保持部材において、さらに第２基材と該基材保持部材とを密着させるために、該基材保持部材に減圧密着手段を有するホログラフィック記録メディアの製造方法。
【００２５】
請求項７記載の本発明は、前記請求項４、５または６記載の第１基材と第２基材を所定の間隙とする間隙形成手段において、第１基材を保持した第１基材保持部材と第２基材を保持した第２基材保持部材とを合わせた際に所定の間隔となるように、第１基材保持部材または第２基材保持部材の少なくとも一つに間隙維持部を設けてあるホログラフィック記録メディアの製造方法。
【００２６】
請求項８記載の本発明は、前記請求項１〜７の何れか１項に記載のホログラフィック記録メディアの製造方法において、硬化手段を行った後に基材からはみ出たホログラフィック記録層形成組成物を除去する除去手段を設けたホログラフィック記録メディアの製造方法。
【００２７】
請求項９記載の本発明は、前記請求項１〜７の何れか１項に記載のホログラフィック記録メディアの製造方法において、硬化手段を行った後に該記録メディアを所定のサイズに切断するための切断手段を設けたホログラフィック記録メディアの製造方法。
【００２８】
請求項１０記載の本発明は、前記請求項１〜９の何れか１項に記載のホログラフィック記録メディアの製造方法において、最後にホログラフィック記録層が露出している部分を封止するための封止手段を設けたホログラフィック記録メディアの製造方法。
【００２９】
請求項１１記載の本発明は、前記請求項１〜１０の何れか１項に記載のホログラフィック記録メディアの製造方法において、間隙形成手段により所定の間隙とした際に余分なホログラフィック記録層形成組成物を該メディア外に排出するための組成物排出部位を、第１基材または第２基材の少なくともどちらかの基材に有するホログラフィック記録メディアの製造方法。
【００３０】
請求項１２記載の本発明は、前記請求項３〜１１の何れか１項に記載のホログラフィック記録メディアの製造方法において、間隙形成手段により所定の間隙とした際に余分なホログラフィック記録層形成組成物を該メディア外に排出するための組成物排出部位を間隙保持部材に有するホログラフィック記録メディアの製造方法。
【００３１】
請求項１３記載の本発明は、前記請求項１〜１２の何れか１項に記載のホログラフィック記録メディアの製造方法において、記録層形成組成物付与手段および間隙形成手段が減圧下で行われるホログラフィック記録メディアの製造方法。
【００３２】
請求項１４記載の本発明は、ホログラフィック記録メディアの製造方法において、ホログラフィック記録層形成組成物を注入する部位と余分な該組成物を排出する部位とを有し、かつ第１基材と第２基材とを所定の間隙に保持するための部材を用いて、前記組成物を射出成形にて第１基材と第２基材との間に充填する記録層形成組成物射出充填手段、この部材にホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせるホログラフィック記録メディアの製造方法。
【００３３】
請求項１５記載の本発明は、ホログラフィック記録メディアの製造方法において、ホログラフィック記録層形成組成物を注入する部位と余分な該組成物を排出する部位とを有し、かつ第１基材と第２基材とを所定の間隙に保持するための部材を用いて、前記組成物を吸引にて第１基材と第２基材との間に充填する記録層形成組成物吸引充填手段、この部材にホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせるホログラフィック記録メディアの製造方法。
【００３４】
請求項１６記載の本発明は、前記請求項１４または１５記載ホログラフィック記録メディアの製造方法において、第１基材と第２基材とを所定の間隙に保持するための部材が、第１基材と第２基材とを所定の間隔に保持するための間隙保持部材により行われるホログラフィック記録メディアの製造方法。
【００３５】
請求項１７記載の本発明は、前記請求項１４、１５または１６記載ホログラフィック記録メディアの製造方法において、第１基材と第２基材とを所定の間隙に保持するための部材が、第１基材および第２基材を保持するための基材保持部材であるホログラフィック記録メディアの製造方法。
【００３６】
請求項１８記載の本発明は、前記請求項１７記載の基材保持部材において、少なくとも第１基材と該基材保持部材とを密着させるために、該基材保持部材に減圧密着手段を有するホログラフィック記録メディアの製造方法。
【００３７】
請求項１９記載の本発明は、前記請求項１８記載の基材保持部材において、さらに第２基材と該基材保持部材とを密着させるために、該基材保持部材に減圧密着手段を有するホログラフィック記録メディアの製造方法。
【００３８】
請求項２０記載の本発明は、前記請求項１７、１８または１９記載の第１基材と第２基材を所定の間隙とする間隙形成手段において、第１基材を保持した第１基材保持部材と第２基材を保持した第２基材保持部材とを合わせた際に所定の間隔となるように、第１基材保持部材または第２基材保持部材の少なくとも一つに間隙維持部を設けてあるホログラフィック記録メディアの製造方法。
【００３９】
請求項２１記載の本発明は、前記請求項１４〜２０の何れか１項に記載のホログラフィック記録メディアの製造方法において、硬化手段を行った後に基材からはみ出たホログラフィック記録層形成組成物を除去する除去手段を設けたホログラフィック記録メディアの製造方法。
【００４０】
請求項２２記載の本発明は、前記請求項１４〜２０の何れか１項に記載のホログラフィック記録メディアの製造方法において、硬化手段を行った後に該記録メディアを所定のサイズに切断するための切断手段を設けたホログラフィック記録メディアの製造方法。
【００４１】
請求項２３記載の本発明は、前記請求項１４〜２２の何れか１項に記載のホログラフィック記録メディアの製造方法において、最後にホログラフィック記録層が露出している部分を封止するための封止手段を設けたホログラフィック記録メディアの製造方法。
【００４２】
請求項２４記載の本発明は、前記請求項１４〜２３の何れか１項に記載のホログラフィック記録メディアの製造方法において、第１基材または第２基材の少なくともどちらかの基材にホログラフィック記録層形成組成物を第１基材と第２基材間に注入するための組成物注入部位と、第１基材と第２基材間から排出するための組成物排出部位を有するホログラフィック記録メディアの製造方法。
【００４３】
請求項２５記載の本発明は、前記請求項１４〜２３の何れか１項に記載のホログラフィック記録メディアの製造方法において、間隙保持部材にホログラフィック記録層形成組成物を第１基材と第２基材間に注入するための組成物注入部位と、第１基材と第２基材間から排出するための組成物排出部位を有することを特徴とするホログラフィック記録メディアの製造方法。
【００４４】
請求項２６記載の本発明は、前記請求項１４〜２５の何れか１項に記載のホログラフィック記録メディアの製造方法において、記録層形成組成物射出充填手段または記録層形成組成物吸引充填手段が減圧下で行われるホログラフィック記録メディアの製造方法。
【００４５】
請求項２７記載の本発明は、ホログラフィック記録メディアの製造方法において、ホログラフィック記録層形成組成物を注入する部位を設けた間隙保持部材により第１基材と第２基材とを所定の間隔に保持し、間隙保持部材により保持されたホログラフィック記録層形成組成物を注入する空間を減圧にするための減圧手段、間隙保持部材により隔てられた第１基材と第２基材との間に該記録層形成組成物を充填させる記録層形成組成物充填手段、ホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせるホログラフィック記録メディアの製造方法。
【００４６】
請求項２８記載の本発明は、前記請求項２７記載のホログラフィック記録メディアの製造方法において、記録層形成組成物充填手段が間隙保持部材のホログラフィック記録層形成組成物を注入する部位を該記録層形成組成物に浸した後、減圧された状態を大気圧まで戻すことにより間隙保持部材により隔てられた第１基材と第２基材との間に前記記録層形成組成物を充填させる圧力調整記録層形成組成物充填手段であるホログラフィック記録メディアの製造方法。
【００４７】
請求項２９記載の本発明は、前記請求項２７記載のホログラフィック記録メディアの製造方法において、記録層形成組成物充填手段が減圧手段により間隙保持部材で保持されたホログラフィック記録層形成組成物を注入する空間を減圧した状態を保ったまま、ホログラフィック記録層形成組成物を注入する部位から直接記録層形成組成物を充填する減圧吸引記録層形成組成物充填手段であるホログラフィック記録メディアの製造方法。
【００４８】
請求項３０記載の本発明は、前記請求項２７、２８または２９記載のホログラフィック記録メディアの製造方法において、第１基材と第２基材とを所定の間隙に保持するための部材として、第１基材および第２基材を保持するための基材保持部材をさらに用いたホログラフィック記録メディアの製造方法。
【００４９】
請求項３１記載の本発明は、前記請求項３０記載の基材保持部材において、少なくとも第１基材と該基材保持部材とを密着させるために、該基材保持部材に減圧密着手段を有するホログラフィック記録メディアの製造方法。
【００５０】
請求項３２記載の本発明は、前記請求項２７〜３１の何れか１項に記載のホログラフィック記録メディアの製造方法において、硬化手段を行った後に基材からはみ出たホログラフィック記録層形成組成物を除去する除去手段を設けたホログラフィック記録メディアの製造方法。
【００５１】
請求項３３記載の本発明は、前記請求項２７〜３１の何れか１項に記載のホログラフィック記録メディアの製造方法において、硬化手段を行った後に該記録メディアを所定のサイズに切断するための切断手段を設けたホログラフィック記録メディアの製造方法。
【００５２】
請求項３４記載の本発明は前記請求項２７〜３３の何れか１項に記載のホログラフィック記録メディアの製造方法において、最後にホログラフィック記録層が露出している部分を封止するための封止手段を設けたホログラフィック記録メディアの製造方法。
【００５３】
請求項３５記載の本発明は、前記請求項１〜３４の何れか１項に記載のホログラフィック記録メディアの製造方法において、第１基材の厚みをｄ１と第２基材の厚みをｄ２とし、ホログラフィック記録層の厚みをＤｈとした際に、０．１５≦Ｄｈ／（Ｄ１＋Ｄ２）≦２．０の関係を満たすホログラフィック記録メディアの製造方法。
【００５４】
請求項３６記載の本発明は、前記請求項３５記載のホログラフィック記録メディアの製造方法において、ホログラフィック記録層の厚みＤｈが２００μｍ以上、２．０ｍｍ以下であるホログラフィック記録メディアの製造方法。
【００５５】
請求項３７記載の本発明は、前記請求項３５または３６記載のホログラフィック記録メディアの製造方法において、第１基材の厚みＤ１と第２基材の厚みＤ２との関係がＤ１≦Ｄ２であるホログラフィック記録メディアの製造方法。
【００５６】
請求項３８記載の本発明は、前記請求項１〜３７の何れか１項に記載のホログラフィック記録メディアの製造方法において、第１基材が透明であり、ホログラフィック記録層と接する面とは反対の面に反射防止処理がなされているホログラフィック記録メディアの製造方法。
【００５７】
請求項３９記載の本発明は、前記請求項１〜３８の何れか１項に記載のホログラフィック記録メディアの製造方法において、第１基材の材質がガラスであるホログラフィック記録メディアの製造方法。
【００５８】
請求項４０記載の本発明は、前記請求項１〜３９の何れか１項に記載のホログラフィック記録メディアの製造方法において、第２基材のホログラフィック記録層が積層される面あるいはその反対面に反射率が７０％以上の反射層が積層されているホログラフィック記録メディアの製造方法。
【００５９】
請求項４１記載の本発明は、前記請求項１〜４０の何れか１項に記載のホログラフィック記録メディアの製造方法において、形状がディスク状であるホログラフィック記録メディアの製造方法。
【００６０】
請求項４２記載の本発明は、前記請求項１〜４０の何れか１項に記載のホログラフィック記録メディアの製造方法において、形状がカード状であるホログラフィック記録メディアの製造方法。
【００６１】
請求項４３記載の本発明は、前記請求項１〜４２の何れか１項に記載のホログラフィック記録メディアの製造方法で製造されたことを特徴とするホログラフィック記録メディア。
【００６２】
【発明の実施の形態】
以下、図１から３６を参照して本発明の実施の形態を詳細に説明する。ただし、発明の範囲は、図示例に限定されない。
【００６３】
図１は、ホログラフィック記録メディアの概略構成図である。ホログラフィック記録メディアは、一般的には図１（ａ）に示す第１基材１０１上に図１（ｂ）で表されるホログラフィック記録層形成組成物１０２を付し、これを図１（ｃ）で表される第２基材１０３を貼合させることにより、図１（ｄ）で表した第１基材、ホログラフィック記録層および第２基材をこの順に積層したホログラフィック記録メディア１００として作製される。しかしながら、前記メディアの記録層が従来の光記録メディアの記録層に対して厚いため、幾つかの方法が提案されているが、ホログラフィック記録層として均一の膜厚を確保したり、メディア間でのばらつきが有ったりすることが有った。
【００６４】
そこで、本発明の第一の態様では、第１基材の上にホログラフィック記録層形成組成物を付す記録層形成組成物付与手段、第２基材を第１基材のホログラフィック記録層形成組成物を付した面とを対面し圧着させることにより第１基材と第２基材とを所定の間隙とする間隙形成手段、この所定の間隙を保持した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることにより、また、本発明の第二の態様では、第１基材および第２基材の上にホログラフィック記録層形成組成物を付す記録層形成組成物付与手段、該記録層形成組成物を付した第２基材面と該記録層形成組成物を付した第１基材面とを対面し圧着させることにより第１基材と第２基材とを所定の間隙とする間隙形成手段、この所定の間隙を保持した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴としている。
【００６５】
図２、３及び４は第１基材と第２基材とを所定の間隙とする間隙形成手段として間隙保持部材を用いたホログラフィック記録メディアの製造方法の一例を示すものであり、始めに図２および図３から詳述する。
【００６６】
図２において２１０は第１基材保持部材、２２０は第２基材保持部材、２３０は第１基材、２４０は第２基材、２１１は前記第１基材保持部材２１０と第２基材保持部材２２０との間隙を維持し保持するための間隙保持部、２１４は第１基材２３０の形状に合った形の凹部、２１２は第１基材２３０を凹部２１４に密着させるための減圧吸引孔、２１５は第２基材保持部材２２０と接する面、２１３は第１基材保持部材と第２基材保持部材との位置合わせを行わせるための凹部、２２１と２２３は第１基材保持部材と第２基材保持部材との位置合わせを行わせるための凸部、２２４は第２基材２４０の形状に合った形の凸部、２２２は第２基材２４０を凸部２２４に密着させるための減圧吸引孔、２２５は第１基材保持部材２１０と接する面、２４１と２４２は過剰の記録層形成組成物を逃すための排出部を示し、第１基材保持部材２１０と第２基材保持部材２２０を合わせた際に所定の間隙となるような間隙形成手段を兼ね備えたものである。また図２（ａ）は第１基材保持部材２１０を正面から見た図、図２（ｂ）は第２基材保持部材２２０を正面から見た図、図２（ｃ）および図２（ｄ）はそれぞれ第１基材２３０、第２基材２４０の平面図である。
【００６７】
図３は図２で示した間隙保持部材を用いた場合のホログラフィック記録メディアの製造方法の一例である。図３中３１０は第１基材保持部材、３２０は第２基材保持部材、３３０は第１基材、３４０は第２基材、３１１は前記第１基材保持部材３１０と第２基材保持部材３２０との間隙を維持し保持するための間隙保持部、３１４は第１基材３３０の形状に合った形の凹部、３１２は第１基材３３０を凹部３１４に密着させるための減圧吸引孔、３１５は第２基材保持部材３２０と接する面、３１３は第１基材保持部材と第２基材保持部材との位置合わせを行わせるための凹部、３２１と３２３は第１基材保持部材と第２基材保持部材との位置合わせを行わせるための凸部、３２４は第２基材３４０の形状に合った形の凸部、３２２は第２基材３４０を凸部３２４に密着させるための減圧吸引孔、３２５は第１基材保持部材３１０と接する面、３４１と３４２は過剰の記録層形成組成物を逃すための排出部を示し、３５０と３５１はホログラフィック記録層形成組成物を表す。
【００６８】
まず初めに図３（ａ）のように第１基材保持部材３１０と第１基材３３０を用意し、図３（ｂ）となるように第１基材３３０を第１基材保持部材３１０にある第１基材の形状に合った形の凹部３１４にはめ込む。この際ホログラフィック記録層の厚みムラを低減する目的で、凹部３１４に密着させるために減圧吸引孔３１２で吸引し第１基材３３０を減圧密着させるのが好ましい。次いで図３（ｃ）のように記録層形成組成物付与手段によりホログラフィック記録層形成組成物３５０を第１基材上に塗設し、別途図３（ｄ）のように第２基材保持部材３２０と第１基材３４０を用意し、図３（ｅ）で示すように第２基材の形状に合った形の凸部３２４に第２基材を減圧吸引孔３２２で減圧密着させた後に、記録層形成組成物付与手段によりホログラフィック記録層形成組成物３５１を第２基材上に塗設する。最後にホログラフィック記録層形成組成物を塗設した第１基材と第２基材とを図３（ｆ）に示すように重ね合わせ加圧させることにより所定ホログラフィック記録層の厚みを有する記録メディアを製造することができる。また、図３（ｇ）は図３（ｃ）で示した記録層形成組成物付与手段によりホログラフィック記録層形成組成物３５０を第１基材上に塗設したものへ第２基材３４０を直接積層する方法で、図３（ｈ）では第１基材上にホログラフィック記録層形成組成物３５０を塗設したものへ第２基材３４０を積層した図であり、図３（ｊ）は図３（ｉ）で示された第２基材保持部材３２０を重ね合わせ加圧し、所定ホログラフィック記録層の厚みを有する記録メディアを製造する方法を示した図である。なお図３（ｊ）中の第２基材保持部材３２０に形成されている減圧吸引孔３２２を用いて第２基材３４０が第２基材保持部材との位置合わせを行わせるための凸部３２４が減圧密着させるのが、記録メディア全体の厚みがどの部分でも均一性を確保しつつ、ホログラフィック記録層の厚み変動を防止する意味で好ましく、また共通の基材保持部材を用いることからメディア間でのばらつきを少なくすることができる。
【００６９】
なお、前述の記録層形成組成物付与手段では記録層形成組成物を基材上に塗設可能な手段であれば特に制限なく用いることができ、例えば直接たらし塗設、はけで塗設、ロールコータのようなコータステーションから塗設、インクジェットのノズルから塗設、凹版で塗設などの公知の塗設方法を適時選択して用いることができる。
【００７０】
図３では第１基材および第２基材の形状に適した基材保持部材を用いた製造方法を説明したが、図４では基材の形状とは異なる基材保持部材を用いた製造方法の一例を示す。
【００７１】
図４中、４１０は第１基材保持部材、４２０は第２基材保持部材、４３０は第１基材、４４０は第２基材、４５０はホログラフィック記録層形成組成物、４１１は第２基材保持部材と接した際に所定の間隙を維持し保持するための間隙保持部、４１２は第１基材を密着させるための減圧吸引孔、４１３は第１基材と接する部位、４１４は過剰の記録層形成組成物が生じた際に該組成物を逃すための排出部、４２１は第１基材保持部材と接した際に所定の間隙を維持し保持するための間隙保持部、４２２は第２基材を密着させるための減圧吸引孔、４２３は第２基材と接する部位を表し、図４（ａ）と図４（ｂ）はそれぞれ第１基材と第１基材保持部材、図４（ｇ）と図４（ｈ）はぞれぞれ第２基材と第２基材保持部材を表す。まず図４（ｃ）、図４（ｄ）のように、第１基材４３０を第１基材保持部材４１０上に減圧吸引孔４１２で吸引することにより減圧密着させる。なお図４（ｃ）は上から見た平面図を、図４（ｄ）は横から見た平面図を表している。この状態で図４（ｅ）、図４（ｆ）のように、第１基材保持部材に減圧密着された第１基材上に記録層形成組成物付与手段によりホログラフィック記録層形成組成物４５０を塗設し、別途図４（ｉ）、図４（ｊ）のように、第２基材４４０を第２基材保持部材４２０上に減圧吸引孔４２２で吸引することにより減圧密着させたものと図４（ｋ）のように重ね合わせ加圧することにより、記録メディア全体の厚みがどの部分でも均一で、かつ所定ホログラフィック記録層の厚みを均一に有する記録メディアを製造することができ、また共通の基材保持部材を用いることからメディア間でのばらつきを少なくすることができる。
【００７２】
図５は図３で示したホログラフィック記録メディアを製造するための基材と基材保持部材とを重ね合わせた際の断面図であり、図６は図４で示したホログラフィック記録メディアを製造するための基材と基材保持部材とを重ね合わせた際の断面図である。図からも明らかなように、図３の製造方法で用いられる基材保持部材では過剰の記録層形成組成物の排出部が少ないため、記録層形成組成物としては間隙に充填される量と同じないしは若干過剰量塗設するのが好ましくまた該組成物の粘度としては低いものが好ましい。また、図４の製造方法で用いられる基材保持部材では過剰の記録層形成組成物の行き場が多く存在するため過剰量塗設するのが好ましくまた該組成物の粘度としては高いものでもで有ったとしても記録メディアを製造することができる。
【００７３】
次に、第１基材と第２基材を所定の間隙とする間隙形成手段として、第１基材と第２基材とを所定の間隔に保持するための間隙保持部材を用いる場合のホログラフィック記録メディアの製造方法について説明する。
【００７４】
まず初めに、本発明の製造方法に用いられる間隙保持部材について図７、図８および図９で詳述する。
【００７５】
図７は第１基材と第２基材のディスク状の記録メディアを製造する際に用いる外側を所定の間隔を維持し保持するための部材を上部から見た平面図であり、間隙保持部材７６０は基材間を所定の間隙に維持するための間隙保持部７１０を有している。図８は図７で示した部材の一部を拡大した図であり、ここでは幾つかの形状を図示するが本発明においては以下説明する形状に限定されるものではない。
【００７６】
図８（ａ）〜図８（ｅ）中、それぞれ上段は上部から見た平面図、中段は内側から見た正面図、下段は間隙保持部材の横から見た断面図を表す。また、図中８１０、８２０、８３０、８４０および８５０は第１基材と第２基材の外側を所定の間隔を維持し保持するため部位、８１１、８２１、８３１、８４１および８５１は第１基材と接する面、８１２、８２２、８３２、８４２および８５２は第２基材と接する面、８２３、８２４、８３４、８４４、８４５、８５４および８５５は過剰な記録層形成組成物を排出する部位、８５６は間隙保持部材の第１基材と接する８５１に密着させるための爪部を、８５７は間隙保持部材の第２基材と接する８５２に密着させるための爪部を表す。
【００７７】
図９はディスク状の記録メディアを製造する際に用いる内側を所定の間隔を維持し保持するための部材で有り、図９（ａ）〜図９（ｅ）中、それぞれ上段は上部から見た平面図、下段は間隙保持部材の横から見た断面図を表す。図中９１０、９２０、９３０、９４０および９５０は各間隙保持部材を表し、９１１、９２１、９３１、９４１および９５１は第１基材と第２基材の内側を所定の間隔を維持し保持するための間隙保持部、９１２、９２２、９２３、９３２、９３３は過剰な記録層形成組成物を排出する部位、９５４および９５５は第１基材と第２基材を間隙保持部材に密着させるための爪部を表す。なお、本発明の目的を達成する間隙保持部材であれば、ディスク状の記録メディアを製造する際に用いる内側を所定の間隔を維持し保持するための部材は図示した形状に限定されるものではない。
【００７８】
図１０は上述した図８及び図９で示した間隙保持部材、第１基材および第２基材を組み合わせた際の断面図であり、図中１０４０および１０８０は第１基材と第２基材の外側を所定の間隔を維持し保持するための部材、１０３０および１０７０は第１基材と第２基材の内側を所定の間隔を維持し保持するための部材、１０１０および１０５０は第１基材、１０２０および１０６０は第２基材を表す。
【００７９】
次に前述した間隙保持部材を用いた製造方法の一例を図１１で説明する。
図１１において、１１１０は第１基材保持部材、１１１１は第１基材と第１基材保持部材とを密着させるための減圧吸引孔、１１２０は第１基材、１１３０は基材間の間隙を維持するための外側間隙保持部材、１１４０は基材間の間隙を維持するための内側間隙保持部材、１１４１は過剰な記録層形成組成物を排出する部位、１１５０はホログラフィック記録層形成組成物、１１６０は第２基材、１１６１は内側間隙保持部材側から過剰な記録層形成組成物を排出する部位、１１６２は外側間隙保持部材側から過剰な記録層形成組成物を排出する部位、１１７０は第２基材保持部材、１１７１は第２基材と第２基材保持部材とを密着させるための減圧吸引孔、１１７２は記録メディアの外側から過剰な記録層形成組成物を排出する部位、１１７３は記録メディアの内側から過剰な記録層形成組成物を排出する部位を表す。まず図１１（ａ）で示される第１基材保持部材１１１０に図１１（ｂ）に示す第１基材１１２０を減圧吸引により密着させた後に図１１（ｃ）および図１１（ｄ）のように基材間の間隙を維持するための外側間隙保持部材１１３０および内側間隙保持部材１１４０を重ね合わせる。この状態で図１１（ｅ）に示すようにホログラフィック記録層形成組成物１１５０を塗設し、図１１（ｆ）で示すように第２基材を間隙保持部材上に軽く重ね合わせる。最後に図１１（ｇ）および図１１（ｈ）で表されるように第２基材保持部材１１７０を重ね合わせ減圧吸引孔１１７１で第２基材１１６０を減圧密着させながら加圧することにより、記録メディア全体の厚みがどの部分でも均一で、かつ厚みむらのない所定ホログラフィック記録層の厚みを均一に有する記録メディアを製造することができ、また共通の基材保持部材と間隙を維持するための規格管理された間隙保持部材を用いることによりメディア間でのばらつきを少なくすることができる。
【００８０】
次に任意の形状のホログラフィック記録メディアを作製する方法の一例を図１２を持って説明する。
【００８１】
図１２において、１２１０は第１基材、１２２０はホログラフィック記録層形成組成物、１１３０は第２基材を表し、初めに図１２（ａ）では第１基材１２１０上へ記録層形成組成物１２２０を塗設し、図１２（ｂ）及び図１２（ｃ）で表すように第２基材を積層し第１基材と第２基材とを所定の間隙に維持し保持させる。次いで後述で詳しく述べるホログラフィック記録層に含まれる空気層を脱気により除去する気泡除去手段、前記気泡除去手段の後に熱またはホログラフィック露光時に使用する光とは異なる別波長の光を照射する硬化手段を順次行わせた後に、レーザー光１２４０および１２４１を照射させることにより基材ごと切断し図１２（ｅ）で表されるディスク状の記録媒体を得ることができる。なお、ここで用いられるレーザー光は基材を切断可能な高出力のレーザーであれば特に制限はなく用いることができ、切断は完全に切断させても良いし、後処理で所望する形状を簡単に取り外しできるような深さまで切断する方法であっても良い。また、レーザー光源は１本でも２本以上の複数本であっても良いし、照射方向は第１基材側あるいは第２基材側から、さらには第１基材側および第２基材側の両方から行っても良く、レーザー光と基材との成す角度は切断できれば特に制限はないが、通常基材に対して５０度から垂直である９０度の範囲で行うのが好ましい。ところで、このようなレーザー光源で切断するような場合は記録される面がレーザー光で劣化してしまうのを防ぐ目的でレーザー光を遮光するような遮光保護部材などで保護しておいても良い。なお、図１２で示した基材間へのホログラフィック記録層を所定の厚みに積層させる方法としては、例えば図４で示すような基材保持部材の外側のみに間隙を維持し保持するような製造装置を用いて製造することができる。
【００８２】
なお、上述した製造方法における第一の態様および第二の態様で行われる間隙形成手段および記録層形成組成物付与手段は、ホログラフィック記録層中への気泡の混入を最小限に抑えるために減圧下で行われることが好ましく、通常の大気圧に対して０．０５ｋＰａから８０ｋＰａの範囲が好ましく、さらには０．１ｋＰａから５０ｋＰａの範囲で行うのがより好ましく、さらに使用するホログラフィック記録層形成組成物により、通常の大気から減圧するのではなく、窒素やアルゴン等の不活性ガスへ置換、あるいは水分を除去した大気に置換した後に減圧処理したような減圧下で行うのも本発明では好適に用いることができる。
【００８３】
また、上述の図３、図４および図１１で例示した製造方法ではホログラフィック記録メディアが１度で１枚しか製造することができないため、複数枚を一度に製造したい場合には、後述の図１９で詳述するような複数の記録メディアの製造に対応したような基材保持部材を用いることにより一度に複数枚を製造することができる。
【００８４】
上述した第一の態様および第二の態様で必須となる気泡除去手段および硬化手段、さらに必要に応じて設けられる基材からはみ出たホログラフィック記録層形成組成物を除去する除去手段およびホログラフィック記録層が露出している部分を封止するための封止手段については、以下に説明する本発明の第三の態様と第四の態様と同様の処理であるため、第三の態様と第四の態様の説明の際にまとめて詳述する。
【００８５】
本発明の第三の態様は、ホログラフィック記録層形成組成物を注入する部位と余分な該組成物を排出する部位とを有し、かつ第１基材と第２基材とを所定の間隙に保持するための部材を用いて、前記組成物を射出成形にて第１基材と第２基材との間に充填する記録層形成組成物射出充填手段、この部材にホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることにより、また本発明の第四の態様は、ホログラフィック記録層形成組成物を注入する部位と余分な該組成物を排出する部位とを有し、かつ第１基材と第２基材とを所定の間隙に保持するための部材を用いて、前記組成物を吸引にて第１基材と第２基材との間に充填する記録層形成組成物吸引充填手段、この部材にホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴としている。
【００８６】
図１３、図１４および図１５は、第１基材と第２基材とを所定の間隙に保持するための基材保持部材を用いて記録メディアを製造するための一例である。図で示される所定の間隙に保持するための部材として第１基材と第２基材とが減圧吸引によりそれぞれの基材保持部材に保持された状態で、第１基材と第２基材との間に記録層形成組成物を充填する記録層形成組成物射出充填手段、あるいは記録層形成組成物吸引充填手段を備えたものである。
【００８７】
前述の図の中で図１３（ａ）は第１基材保持部材、図１３（ｃ）は第２基材保持部材の概略図であり、図１３（ｂ）は第１基材保持部材と第２基材保持部材を重ね合わせた状態の断面図である。図１３中１３００は第１基材保持部材、１３０１および１３０２は第２基材保持部材と接する面、１３１０は第２基材保持部材、１３１１および１３１２は第１基材保持部材と接する面、１３０３および１３１３は各基材を保持する面、１３０４および１３１４は各基材を減圧密着させるための減圧吸引孔、１３０６および１３１６はホログラフィック記録層形成組成物を基材間に注入する部位、１３０５および１３１５は該組成物を基材間から排出する部位、１３０７は該組成物を基材間から排出する側の制御バルブ、１３０８は該組成物を基材間に注入する側の制御バルブを表す。
【００８８】
また、図１４および図１５は、前述した図１３の第１基材と第２基材とを所定の間隙に保持するための基材保持部材を用いた場合の製造方法の一例であり、図１４では各基材を減圧吸引により対応する基材保持部材の基材を保持する面に密着させ、該基材保持部材同士を加圧して重ね合わせた状態の図である。図１４中１４２０は第１基材、１４３０は第２基材、１４００は第１基材保持部材、１４１０は第２基材保持部材、１４０７はホログラフィック記録層形成組成物を基材間から排出する側の制御バルブ、１４０８は該組成物を基材間へ注入する側の制御バルブを表し、また、図１４（ａ）は第１基材、図１４（ｂ）は第１基材保持部材、図１４（ｃ）は第１基材保持部材に第１基材を減圧吸引により密着させた状態、図１４（ｄ）は第２基材、図１４（ｅ）は第２基材保持部材および図１４（ｆ）は第２基材保持部材に第２基材を減圧吸引により密着させた状態の平面図を表し、図１４（ｇ）は各基材を保持した基材保持部材を加圧して重ね合わせた状態の断面図である。
【００８９】
図１５は図１４で示した基材保持部材で所定の間隙を形成した基材間へホログラフィック記録層形成組成物を充填する方法を示した図である。図１５中１５００は第１基材保持部材、１５１０は第２基材保持部材、１５０７はホログラフィック記録層形成組成物を基材間から排出する側の制御バルブ、１５０８は該組成物を基材間へ注入する側の制御バルブ、１５４０は充填されるホログラフィック記録層形成組成物を表し、また図１５（ａ）および図１５（ｂ）はホログラフィック記録層形成組成物へ圧力を掛け基材保持部材内に該組成物を充填し始めた状態、図１５（ｃ）および図１５（ｄ）は該組成物を基材の半分くらいまで充填した状態、図１５（ｅ）および図１５（ｆ）は該組成物で基材間を全て充填した状態、図１５（ｇ）および図１５（ｈ）は該組成物の供給を遮断するために該組成物を基材間へ注入する側の制御バルブを閉めた状態を表した概略図である。なお、図１５（ａ）、図１５（ｃ）、図１５（ｅ）および図１５（ｇ）は判りやすくするために基材保持部材を加圧して重ね合わせた状態を水平に切断して見た場合の概略図であり、図１５（ｂ）、図１５（ｄ）、図１５（ｆ）および図１５（ｈ）は判りやすくするために基材保持部材を加圧して重ね合わせた状態を垂直に切断して見た場合の概略図である。
【００９０】
前述で述べた図１５のような記録層形成組成物射出充填手段を用いて基材間に記録層形成組成物を充填することにより、記録メディア全体の厚みがどの部分でも均一で、かつ所定ホログラフィック記録層の厚みを有する記録メディアを製造することができ、また共通の基材保持部材を用いることからメディア間でのばらつきを少なくすることができる。
【００９１】
図１６、図１７および図１８は、第１基材と第２基材とを所定の間隙に保持するための間隙保持部材と各基材保持部材を用いて記録メディアを製造するための一例である。
【００９２】
そのうち図１６（ａ）は第１基材保持部材、図１６（ｃ）は第２基材保持部材の概略図であり、図１６（ｂ）は第１基材保持部材と第２基材保持部材を重ね合わせた状態の断面図である。図１６中１６００は第１基材保持部材、１６０１は第２基材保持部材と接する面、１６１０は第２基材保持部材、１６１１は第１基材保持部材と接する面、１６０３および１６１３は各基材を保持する面、１６０６および１６１６はホログラフィック記録層形成組成物を基材間に注入する部位、１６０５および１６１５は該組成物を基材間から排出する部位、１６０７は該組成物を基材間から排出する側の制御バルブ、１６０８は該組成物を基材間に注入する側の制御バルブを表す。
【００９３】
また、図１７および図１８は、前述した図１６の第１基材と第２基材とを所定の間隙に保持するための間隙保持部材と各基材保持部材を用いて記録メディアを製造するための一例であり、図１７では各基材を間隙保持部材を介して対応する基材保持部材の基材を保持する面に密着させ、該基材保持部材同士を加圧して重ね合わせた状態の図である。図１７中１７２０は第１基材、１７３０は第２基材、１７５０は基材間の外側を所定の間隔に保持するための間隙保持部材、１７６０は基材間の内側を所定の間隔に保持するための間隙保持部材、１７００は第１基材保持部材、１７１０は第２基材保持部材、１７０７はホログラフィック記録層形成組成物を基材間から排出する側の制御バルブ、１７０８は該組成物を基材間へ注入する側の制御バルブを表し、また、図１７（ａ）は第１基材、図１７（ｂ）は基材間の外側を所定の間隔に保持するための間隙保持部材、図１７（ｃ）は基材間の内側を所定の間隔に保持するための間隙保持部、図１７（ｅ）は第２基材を表し、図１７（ｄ）は第１基材保持部材に第１基材を保持した状態で間隙保持部材を装着した状態の平面図で有り、図１７（ｆ）は図１７（ｄ）で示した状態に第２基材を装着した状態の平面図であり、図１７（ｇ）は図１７（ｆ）で示した状態に第２基材保持部材を装着し各基材を保持した基材保持部材を加圧して重ね合わせた状態の断面図である。
【００９４】
なお、ここで用いる１７５０で表される間隙保持部材としては、ホログラフィック記録層形成組成物を基材間から排出および注入することができる部材であり、具体的には図８の（ｄ）あるいは（ｅ）で示すような該組成物を注入あるいは排出できるような部位を有するものを挙げることができる。また、１７６０で表される間隙保持部材としては、基材間を所定の間隙に保持できるものであり、具体的には図９の（ｄ）あるいは（ｅ）で示すような該組成物のもれを生じない部材を挙げることができる。しかしながら基材保持部材への記録層形成組成物の注入部と排出部の設置場所によっては、図８の（ｃ）あるいは（ｄ）のような間隙保持部材を用いても良く、その際には必要に応じて、第１基材または第２基材の少なくともどちらかの基材に、記録層形成組成物を第１基材と第２基材間に注入するための組成物注入部位と、第１基材と第２基材間から排出するための組成物排出部位を設けてある基材を適時選択して用いることができる。
【００９５】
図１８は図１７で示した間隙保持部材と基材保持部材で所定の間隙を形成した基材間へホログラフィック記録層形成組成物を充填する方法を示した図である。図１８中１８００は第１基材保持部材、１８１０は第２基材保持部材、１８０７はホログラフィック記録層形成組成物を基材間から排出する側の制御バルブ、１８０８は該組成物を基材間へ注入する側の制御バルブ、１８２０は第１基材、１８３０は第２基材、１８５０は基材間外側間隙保持部材、１８６０は基材間内側間隙保持部材、１８４０は充填されるホログラフィック記録層形成組成物を表し、また図１８（ａ）および図１８（ｂ）はホログラフィック記録層形成組成物を基材間へ充填する前の状態、図１８（ｃ）および図１８（ｄ）はホログラフィック記録層形成組成物へ圧力を掛け基材保持部材内に該組成物を充填し始めた状態、図１８（ｅ）および図１８（ｆ）は該組成物を基材間の半分くらいまで充填した状態、図１８（ｇ）および図１５（ｈ）は該組成物で基材間を全て充填した状態、図１８（ｉ）および図１８（ｊ）は該組成物の供給を遮断するために該組成物を基材間へ注入する側の制御バルブを閉めた状態を表した概略図である。なお、図１８（ａ）、図１８（ｃ）、図１８（ｅ）、図１８（ｇ）および図１８（ｉ）は判りやすくするために基材保持部材を加圧して重ね合わせた状態を水平に切断し第２基材を透して見た場合の概略図であり、図１８（ｂ）、図１８（ｄ）、図１８（ｆ）、図１８（ｈ）および図１８（ｊ）は判りやすくするために基材保持部材を加圧して重ね合わせた状態を垂直に切断して見た場合の概略図である。
【００９６】
前述した図１８のような記録層形成組成物射出充填手段を用いて基材間に記録層形成組成物を充填することにより、記録メディア全体の厚みがどの部分でも均一で、かつ所定ホログラフィック記録層の厚みを有する記録メディアを製造することができ、また共通の基材保持部材と間隙を維持するための間隙保持部材を用いることからメディア間でのばらつきを少なくすることができる。
【００９７】
上述の図１５と図１８では基材間へホログラフィック記録層形成組成物を充填する方法として圧力を掛けて行う記録層形成組成物射出充填手段として説明したが、この場合、基材間に注入する部位は、充填した記録層への気泡混入に起因する空隙などの欠陥を防止する目的で、基材間から排出する部位に対して低いほうが好ましい。また、前記組成物を減圧による吸引にて第１基材と第２基材との間に充填する記録層形成組成物吸引充填手段も図示した製造法では適用でき、この場合、ホログラフィック記録層形成組成物を基材間から排出する部位側から減圧し吸引することにより該組成物を基材間へ充填することができる。なお、射出充填手段時に用いる圧力としては充填させる記録層形成組成物の物性により一概に決めることはできないが通常１１１ｋＰａから２０２００ｋＰａで有り、好ましくは１２１ｋＰａから１０１００ｋＰａの範囲である。また、吸引充填手段では減圧吸引する際の減圧度としては０．０１ｋＰａから６０ｋＰａの範囲が好ましく、さらには０．０５ｋＰａから４０ｋＰａの範囲で行うのがより好ましい。
【００９８】
なお、上述した製造方法における第三の態様および第四の態様で行われる間隙形成手段および記録層形成組成物付与手段は、ホログラフィック記録層中への気泡の混入を最小限に抑えるために減圧下で行われることが好ましく、通常の大気圧に対して０．０５ｋＰａから８０ｋＰａの範囲が好ましく、さらには０．１ｋＰａから５０ｋＰａの範囲で行うのがより好ましく、さらに使用するホログラフィック記録層形成組成物によりに、通常の大気から減圧するのではなく、窒素やアルゴン等の不活性ガスへ置換、あるいは水分を除去した大気に置換した後に減圧処理したような減圧下で行うのも本発明では好適に用いることができる。
【００９９】
上述で詳述した図１６で示した基材保持部材を用いた場合はホログラフィック記録メディアが１度で１枚しか製造することができるが、例えば図１９で示すような基材保持部材を用いることにより一度に複数枚同時に製造することができる。図１９中（ａ）は第１基材保持部材を表し、（ｂ）は第２基材保持部材を表しており、図中１９７０および１９７１は基材保持部材中のホログラフィック記録層形成組成物を注入する経路を、１９０４および１９１４は各基材を保持する保持部を、１９９０および１９９１は基材保持部材中に形成された各基材保持部を繋ぐ前記記録層形成組成物の経路を、１９８０および１９８１は基材保持部材中のホログラフィック記録層形成組成物を排出する経路を、１９０７は基材保持部材中に形成された各基材保持部で保持された基材間から排出する側の制御バルブを、さらに１９０８は基材保持部材中に形成された各基材保持部で保持された基材間へ注入する側の制御バルブを表す。
【０１００】
上述で例示した第一の態様から第四の態様における間隙保持部材を用いる製造方法では、いずれも基材と間隙保持部材が別々のもので構成されているが、製造されるホログラフィック記録メディアに用いられる基材の種類によっては、基材自体に間隙保持部材としての機能を有する間隙維持部を待たせたものも本発明では好適に用いることができる。このような間隙維持部を設けた基材としては例えば図２０で示されるようなものを例示することができる。
【０１０１】
図２０において、図中の２０００は第２基材を、２００１は記録層形成組成物充填部を、２００２および２００３は第１基材との間隙維持部を、２００４は第１基材との段差を無くすための凸部を、２００５および２００７は記録層形成組成物を基材間から排出するための部位を、２００６および２００８は記録層形成組成物を基材間へ注入するための部位を、２０１０は第１基材を表し、図２０（ａ）は第２基材の平面図、図２０（ｂ）は第１基材の平面図、図２０（ｃ）は第１基材と第２基材とを加圧して重ね合わせた状態を垂直に切断して見た場合の概略図である。
【０１０２】
本発明の第三の態様および第四の態様において、上述で述べた間隙保持部材で基材間に所定の間隙を設ける場合や、基材に設けられた間隙維持部で基材間を所定の間隙とする場合において、予め間隙保持部材と基材、あるいは基材間を接着のようなもので間隙を維持するための処理を施しておいたものも本発明の製造方法では好適に用いることができる。
【０１０３】
このように、予め第１基材、間隙保持部材および第２基材を強固に接合して間隙を維持した部材を用いた場合の製造方法の一例を図２１、図２２および図２３で説明する。
【０１０４】
図２１（ａ）は間隙保持部材であり図中２１５０は外側の間隙保持部材を、２１５１は記録層形成組成物注入部を、２１５２は該組成物排出部を表し、図２１（ｂ）は、図示されていない第１基材と２１２０で表される第２基材を、２１５０で表される外側間隙保持部材および２１６０で表される内側間隙保持部材とを接着剤を介して接合させ、製造時に生じる記録メディアに充填される記録層の厚みむらや記録メディア全体の厚みむらを予め低減させたものと成っている。また、図２２は図２１（ｂ）で表された記録層未充填記録メディア２２００を直列に、記録層形成組成物を各未充填記録メディアに注入するための接続チューブ２２９２で接続したものであり、図２３は接続チューブ２３９２で直列に繋いだ未充填記録メディア２３００へ、記録層形成組成物を充填するために配置した配置図の一例である。射出充填手段を用いる場合には図２３の左側のチューブから圧力を掛け、未充填の基材間に記録層形成組成物を充填していき、右側の記録メディアの排出部位から排出されるまで継続して圧力をかけることにより全ての未充填記録メディアに記録層を充填することができる。また、吸引充填手段を用いる場合には図２３の右側の記録メディアの排出部位から減圧吸引させることにより、左側のチューブから組成物を吸引していき、未充填の基材間に記録層形成組成物を充填していき、減圧吸引している右側の記録メディアの排出部位から組成物が排出されるまで継続して減圧吸引させることにより全ての未充填記録メディアに記録層を充填することができる。
【０１０５】
このように図２３のような間隙保持手段を有する未充填の記録メディアの基材間に記録層形成組成物を充填することにより、記録メディア全体の厚みがどの部分でも均一で、かつ所定ホログラフィック記録層の厚みを有する記録メディアを製造することができ、また規格管理された間隙保持部材を用いることによりメディア間でのばらつきを少なくすることができる。
【０１０６】
次に、本発明の第一の態様から第四の態様までの製造方法で共通した製造プロセスについて以下に詳述する。
【０１０７】
気泡除去手段としては、所定の間隙を保持した状態で第１基材と第２基材間に挟持されたホログラフィック記録層に含まれる空気層を脱気により除去することができる方法であれば特に制限なく用いることができ、このような気泡除去手段としては、例えば第１基材と第２基材間に挟持されたホログラフィック記録層を減圧下でしばらく放置する減圧除去方法や、超音波振動機などの特定の周波数を発振し基材間に挟持された記録層内に有る空隙を基材外に追い出す方法などを適時選択して用いることができる。
【０１０８】
図２４は超音波振動機を気泡除去手段として用いた場合の一例であり、図２４（ａ）の２４０３は上述した図３（ｆ）あるいは図３（ｊ）で表される基材間に記録層形成組成物を充填した状態、図２４（ｂ）の２４０４は上述した図４（ｋ）で表される基材間に記録層形成組成物を充填した状態を、図２４（ｃ）は上述した図１１（ｈ）で表される基材間に記録層形成組成物を充填した状態、図２４（ｄ）は上述した図１５（ｈ）で表される基材間に記録層形成組成物を充填した状態、図２４（ｅ）は上述した図１８（ｊ）で表される基材間に記録層形成組成物を充填した状態をそれぞれ表す。また、図中２４０１、２４０２、２４０３、２４０４および２４０５はそれぞれ超音波振動機を表す。
【０１０９】
図２４のように記録層形成組成物を充填した状態で超音波振動機から特定の周波数の振動を掛けることにより、記録層中の微小な空隙をあるいは組成物中に溶解している気体を基材外に追い出すことができる。
【０１１０】
前述の気泡除去手段の後に掛けられる、熱またはホログラフィック露光時に使用する光とは異なる別波長の光を照射する硬化手段は、本発明の記録層形成組成物を有る程度硬化させ流動しにくくするために行われるもので、通常熱による硬化手段で加えられる加熱温度としては２０℃以上１８０℃以下であり、好ましくは２５℃以上１５０℃以下である。また、１００℃以上で加熱処理する場合の加熱処理時間としては０．１秒以上２時間以下、５０℃以上１００℃未満の範囲でで加熱処理する場合の加熱処理時間としては１分以上１週間以下、さらに５０℃未満で加熱処理する場合は１時間以上１ヶ月以下の処理時間で加熱処理させるのが好ましく、熱を掛ける手段としては、所定の間隙を保持した状態でオーブンなどに入れて熱処理する方法、基材保持部材を用いる場合には基材保持部材に基材と接する面あるいは近傍に加熱するためのヒータを埋め込んでおき基材保持部材自身を加熱する方法などを適時選択して用いることができる。また、基材保持部材を用いない場合、例えば図２３で例示した間隙保持部材のみで製造する場合においては、図３６に示すような加熱処理により硬化する方法を用いることができる。図３６（ａ）および図３６（ｂ）で示すように、加熱部３６１１および３６１２を有する加熱ブロック３６１０を用いて図３６の（ｂ）に示すよう密着させ加熱処理することができる。なお図中３６００は基材間に記録層を充填させた部分を表し、３６２０および３６２１は基材間に記録層を充填させた部分を繋ぐチューブを表す。
【０１１１】
また、ホログラフィック露光時に使用する光とは異なる別波長の光を照射することにより硬化させる場合には、通常ホログラフィック露光に使用されるレーザー光源の発振波長よりも５０ｎｍ以上長波の光が好ましく、より好ましくは１００ｎｍ以上長波の光で処理するのが好ましく、図３５に光を記録メディア全体に渡って照射することにより硬化する方法を示す。このような光により硬化する場合は、基材保持部材を硬化させる光の波長に対して透過するような基材保持部材を用いた場合には、例えば図４（ｋ）で表されたものを図３５（ａ）のように、図１８（ｊ）で表されたものを図３５（ｂ）のようにして、さらに基材保持部材を用いた図２３で表されたもののような場合には図３５（ｄ）のように光を記録メディア全体に渡って照射することにより硬化することができる。
【０１１２】
記録層を流動しないように上述の硬化手段により硬化させた後に、基材からはみ出たホログラフィック記録層形成組成物を除去するのは、記録メディアとして使用する際に支障のないように余分な部分を除去することを指し、このような除去手段としては、本発明の製造方法で製造されホログラフィック記録メディアの諸性能を阻害しないものであれば、余分な部分を拭き取る、余分な部分を切断する、あるいは余分な部分を削り取る等の種々の分野で行われている除去手段を適時選択して用いることができ、図２５にこのような基材からはみ出たホログラフィック記録層形成組成物を除去する除去手段の例を幾つか示す。
【０１１３】
図２５の（ａ）は図４で示したような製造方法にて硬化手段まで行われたもので、第１基材２５１０に対してホログラフィック記録層形成組成物が外側にはみ出した部分２５１１と内側にはみ出した部分２５１２を有している。図２５（ｂ）は図２５（ａ）で示した基材の端部に対してレーザー光を照射して余分な前記組成物部分を切断除去する様子の概略図であり、図２５（ｃ）は図２５（ｂ）の除去手段で除去した後の記録メディアの概略図である。また、図２５（ｄ）は図１１で示したような製造方法にて硬化手段まで行われたもので、第２基材２５３０上にはみ出した部分２５３１および２５３２を有している。これを図２５（ｅ）のように余分な部分を削り取るような爪状の除去治具２５４０を用いて除去することにより、図２５（ｆ）で示したような記録メディアとすることができる。さらに、図２５（ｇ）で示したような製造方法にて硬化手段まで行われたもので、第１基材２５５０上にはみ出した部分２５５１を有している。これを図２５（ｈ）のように余分な部分を切断処理できるような鋭角な除去治具２５６０を持ちて除去することにより、図２５（ｉ）で示したような記録メディアとすることができる。
【０１１４】
図２５の除去手段は硬化手段まで行われた記録メディアを一枚毎に除去する手段であるが、図２６には複数枚を一度に処理することができる除去手段を示す。例えば図２６（ａ）に示すように、図１８で示したような製造方法にて硬化手段まで行われた複数枚の記録メディア２６１０を回転しうる軸２６１２に固定するための治具２６１３を用いて固定する。なお、記録メディア２６１０には間隙保持部材を通して記録層形成組成物を注入あるいは排出した部分２６１１が存在する。これを表面に研磨材を有する研磨部材２６１５を用いて接触させ、余分な部分を研磨し除去することにより複数枚一度に余分な部分を除去することができる。また図２６（ｂ）は、図１５で示したような製造方法にて硬化手段まで行われた複数枚の記録メディア２６２０を、回転しうる軸２６２２に固定するための治具２６２３を用いて、記録メディア２６２０を保護するクッション材２６２４を介して固定すル、なお、記録メディア２６２０には記録層が見えている２６２１の部分が存在する。これを表面に研磨材を有する研磨部材２６２５を研磨部材の軸２６２６を回転させながら接触させ、基材および／または記録層の余分な部分を研磨し除去することで端部が揃った記録メディアを複数枚一度に製造することができる。
【０１１５】
次に、製造プロセスの最後に行われるホログラフィック記録層が露出している部分を封止するための封止手段について幾つかの例を持って説明する。
【０１１６】
図２７はホログラフィック記録層が露出している部分を封止するため治具の一例である。図２７（ａ）で示す封止治具２７２０は表面に封止材を供給する面２７２１を有し回転可能な軸を有する回転型の治具であり、図２７（ｂ）で示す封止治具２７３０は、図２７（ａ）同様に回転可能な軸を有しかつ記録メディアの厚みに丁度合うような溝を有し、この溝の表面に封止材を供給する面２７３１を有しているような回転型の治具である。また図２７（ｃ）で示す封止治具２７４０は封止材を吐出するノズル２７４１を有する吐出方式の治具である。さらに、ホログラフィック記録層が露出している部分に対して封止層そのものを転写するような方法で露出部分を封止することもでき、例えば図２７（ｄ）のように封止層転写部材２７５０には、封止層２７５１および２７５２が施してある。また、図２７（ｅ）で示す封止治具は封止層転写リボン２７６０が巻きだしロール２７６３、巻き取りロール２７６２および記録メディアの外側端部に押し付けるためのプラテンロール２７６１を有する転写リボン型の封止治具である。
【０１１７】
次に、上述で説明した封止治具や封止材を用いた具体的な封止方法について図２８に詳述する。
【０１１８】
図２８（ｂ）で表される記録メディア２８０３はホログラフィック記録層が露出している部分２８０４と２８０５を有している。この記録メディアを封止するには、例えば図２８の（ａ）であらわされる記録メディアの第１基材と第２基材を所定の間隔とするための爪部２８０２を有する内側封止部材２８０１を、図２８（ｃ）のように記録メディア２８０３の内側部にはめ込み内側を封止する。この際、内側封止部材２８０１の基材およびホログラフィック記録層と接する面には接着剤などを予め塗布しておいても良い。次に、外側のホログラフィック記録層が露出している部分２８０５を封止する方法について述べる。図２８（ｄ）は図２７の（ａ）で詳述したような回転型の治具２８２０を用いて封止する例であり、封止材を供給する面２８２１を記録層の露出している面に接触させ、記録メディア２８０３と回転型の治具２８２０を同期するように回転させ、外側を均一に封止させることができる。また、図２８（ｅ）は図２７の（ｂ）で詳述したような回転型の治具２８３０を用いて封止する例であり、封止材を供給する面２８３１を記録層の露出している面に接触させ、記録メディア２８０３と回転型の治具２８３０を同期するように回転させ、基材の再外面の一部を含め記録メディアの外側を均一に封止させることができる。また、図２８（ｇ）は図２７の（ｅ）で詳述したような転写リボン型の封止治具を用いて封止する例であり、封止層転写リボン２８６０を巻きだしロール２８６３から供給して巻き取りロール２８６２で巻き取る間に、記録メディアの外側端部に押し付けるためのプラテンロール２８６１で封止層転写リボン２８６０を記録層の露出している面に接触させ、記録メディア２８０３の回転と同期するように封止層転写リボン２８６０を巻き取り、記録メディアの外側を均一に封止させることができる。
【０１１９】
図２８の（ｆ）は、図２７の（ｃ）で詳述したような吐出方式の治具２８４０を用いて封止する例である。この封止方法では、ホログラフィック記録層が露出している部分２８０９を有する間隙保持部材２８０７および２８０８で保持され記録メディア２８０６を封止するために、記録メディア２８０６を回転させ、露出部に対して吐出方式の治具２８４０の封止材を吐出するノズル２７４１から封止材を付着させることにより封止することができる。なお、この場合露出部のみに封止材を吐出させても良いし、記録メディア２８０６の外周部全てに対して封止材を吐出させても良い。また、図２８（ｈ）および図２８（ｉ）は、図２７の（ｄ）で詳述したような封止層２８５１および２８５２が施してある封止層転写部材２８５０を用いて封止する例であり、この封止方法では、ホログラフィック記録層が露出している部分２８１４および２８１３を有する間隙保持部材２８１２および２８１１で保持され記録メディア２８１０を封止するために、封止層転写部材２８５０を記録メディア２８１０へ加圧または加熱加圧転写させ封止層のみを記録メディア上に転写させた例である。また、図では封止したい部分のみに封止層を転写させたが、製造された記録メディアの記録・再生に悪影響がないはんいであればホログラフィック記録層が露出している部分を含む基材面側全てに封止層を転写させても構わない。
【０１２０】
次に、本発明の第五の態様について詳述する。
本発明の第五の態様は、ホログラフィック記録層形成組成物を注入する部位を設けた間隙保持部材により第１基材と第２基材とを所定の間隔に保持し、間隙保持部材により保持されたホログラフィック記録層形成組成物を注入する空間を減圧にするための減圧工程手段、間隙保持部材により隔てられた第１基材と第２基材との間に前記記録層形成組成物を充填させる記録層形成組成物充填手段、ホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段を順次行わせることを特徴としており、前述の記録層形成組成物充填手段としては、例えば間隙保持部材のホログラフィック記録層形成組成物を注入する部位を該記録層形成組成物に浸した後、減圧された状態を大気圧まで戻すことにより間隙保持部材により隔てられた第１基材と第２基材との間に前記記録層形成組成物を充填させる圧力調整記録層形成組成物充填手段や、記録層形成組成物充填手段が減圧工程手段により間隙保持部材で保持されたホログラフィック記録層形成組成物を注入する空間を減圧した状態を保ったまま、ホログラフィック記録層形成組成物を注入する部位から直接記録層形成組成物を充填する減圧吸引記録層形成組成物充填手段などを挙げることができる。
【０１２１】
まず初めに記録層形成組成物充填手段として圧力調整記録層形成組成物充填手段を利用した製造方法の一例を図を持って説明する。
【０１２２】
図２９は、第１基材と第２基材を間隙保持部材で挟持したホログラフィック記録層形成組成物が未充填の記録メディアの構成図であり、図２９の（ａ）は第１基材２９０１を、図２９の（ｂ）はホログラフィック記録層形成組成物を注入する部位２９０３を有する基材の外側の基材間隔を所定の厚みに保持するための外側間隙保持部材２９０２を、図２９の（ｃ）は基材の内側の基材間隔を所定の厚みに保持するための内側間隙保持部材２９０４を、図２９の（ｄ）は第２基材２９０５を、図２９の（ｅ）は間隙保持部材と各基材とを接着剤で所定の間隔で挟持し接合させた未充填記録メディア２９００の平面図をそれぞれ表す。
【０１２３】
図３０は図２９で示した未充填記録メディアへのホログラフィック記録層形成組成物を充填させる方法の一例であり、図中３０００は未充填記録メディア、３００３はホログラフィック記録層形成組成物を注入する部位、３０１０は減圧可能な部屋、３０２０は圧力を調整するための圧力調整部、３０３０はホログラフィック記録層形成組成物、３０４０はホログラフィック記録層形成組成物を供給する組成物供給部、３０５０は減圧可能な部屋の圧力を維持するための圧力維持弁、３０６０はホログラフィック記録層形成組成物を充填した記録メディアを表す。まず初めに図３０の（ａ）で示すように減圧可能な部屋３０１０の圧力を、圧力調整部３０２０から内部の気体を吸引することにより減圧にし、未充填記録メディア３０００の未充填部および部屋全体を減圧にする。次いで図３０の（ｂ）は有る程度の減圧度が確保されたら圧力維持弁３０５０で塞ぎ、次いで図３０（ｃ）のように記録層形成組成物を注入する部位３００３を記録層形成組成物を溜めた組成物貯蔵部に浸し、この注入する部位を組成物貯蔵部に浸した状態で圧力維持弁３０５０を解放し、図３０（ｄ）のように減圧可能な部屋３０１０の圧力を常圧に戻す。このように減圧状態から常圧に戻すことにより図３０の（ｅ）で示すように未充填記録メディア３０００の未充填の空間にホログラフィック記録層形成組成物３０３０を充填することができ、最後に図３０（ｆ）のようにホログラフィック記録層形成組成物３０３０を充填した記録メディア３０６０の記録層形成組成物を注入する部位３００３を上部となるように回転させることにより常圧に保持しても記録層組成物が抜けることのない充填した記録メディアを製造することができる。
【０１２４】
このように図３０のような圧力調整記録層形成組成物充填手段を用いて未充填の記録メディアの基材間に記録層形成組成物を充填することにより、記録メディア全体の厚みがどの部分でも均一で、かつ所定ホログラフィック記録層の厚みを有する記録メディアを製造することができ、また規格管理された間隙保持部材をを用いることによりメディア間でのばらつきを少なくすることができる。
【０１２５】
また、第五の態様でこの後行われる、ホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段は、上述した第一から第四の態様で詳述したものを適時選択して用いることがでる。このうち硬化手段としては、例えば図３５の（ｅ）のようにして光硬化を、図３６の（ｃ）と（ｄ）で示されるような方法で熱硬化を行わせることができる。なお図３６（ｃ）中の３６００は充填した記録メディアを、３６３０および３６４０は加熱ブロックを、３６３１および３６４１は加熱部を表す。
【０１２６】
さらに、必要に応じて行われる硬化手段を行った後に基材からはみ出たホログラフィック記録層形成組成物を除去する除去手段、硬化手段を行った後に該記録メディアを所定のサイズに切断するための切断手段、ホログラフィック記録層が露出している部分を封止するための封止手段についても上述した第一から第四の態様で詳述したものを適時選択して用いることができる。
【０１２７】
次に記録層形成組成物充填手段として減圧吸引記録層形成組成物充填手段を利用した製造方法の一例を図を持って説明する。
【０１２８】
図３１は、第１基材と第２基材を間隙保持部材で挟持したホログラフィック記録層形成組成物が未充填の記録メディアの構成図であり、図３１の（ａ）は第１基材３１０１を、図３１の（ｂ）はホログラフィック記録層形成組成物を注入する部位３１０３を有する基材の外側の基材間隔を所定の厚みに保持するための外側間隙保持部材３１０２を、図３１の（ｃ）は基材の内側の基材間隔を所定の厚みに保持するための内側間隙保持部材３１０４を、図３１の（ｄ）は第２基材３１０５を、図３１の（ｅ）は間隙保持部材と各基材とを所定の間隔で挟持した未充填記録メディア２９００の平面図をそれぞれ表す。
【０１２９】
また図３２は基材保持部材を表し、図３２（ａ）は第１基材保持部材、図３２（ｃ）は第２基材保持部材の概略図であり、図３２（ｂ）は第１基材保持部材と第２基材保持部材を重ね合わせた状態の断面図である。図３２中３２１０は第１基材保持部材、３２１１は第２基材保持部材と接する面、３２２０は第２基材保持部材、３２２１は第１基材保持部材と接する面、３２１２および３２２２は各基材を保持する面、３２１３および３２２３は各基材を減圧密着させるための減圧吸引孔、３２１４および３２２４はホログラフィック記録層形成組成物を基材間に注入する部位、３２１５は該組成物を未充填記録メディアの基材間に注入際の制御バルブを表す。
【０１３０】
図３３は、図３２で示した基材保持部材を用いて図３１の未充填の記録メディアを装填した図であり、図３３の（ａ）は基材保持部材を加圧して重ね合わせた状態を水平に切断し第２基材を透して見た場合の概略図であり、図３３の（ｂ）は基材保持部材を加圧して重ね合わせた状態を垂直に切断して見た場合の概略図である。なお図中３３００は未充填記録メディアを、３３０３は記録層形成組成物を注入する部位を、３３１４は基材保持部材中の未充填記録メディアへ記録層形成組成物を注入する部位、３３１５は該組成物を未充填記録メディアの基材間に注入際の制御バルブ、３３１０は第１基材保持部材、３３２０は第２基材保持部材を表す。
【０１３１】
図３４は図３３で示した基材保持部材に挟持された未充填記録メディアへのホログラフィック記録層形成組成物を充填させる方法の一例であり、図中３４００は未充填記録メディア、３４３０はホログラフィック記録層形成組成物を充填してある組成物供給部、３４４０は組成物供給部からの組成物供給を制御する供給制御バルブ、３４５０は減圧度を調整する減圧調整バルブ、３４６０、３４６２は減圧調整兼組成物供給配管、３４６１は減圧調整配管、３４７０は充填記録メディア、ホログラフィック記録層形成組成物を充填した記録メディアを表す。なお、図中供給制御バルブ３４４０および減圧調整バルブ３４５０は三方バルブである。まず初めに図３４の（ａ）で示すように減圧調整配管３４６１から内部の気体を吸引することにより減圧にする。この際減圧になる部分は未充填記録メディア３４００内、３４６２および３４６０で表される配管内、三方バルブである供給制御バルブ３４４０内、三方バルブである減圧調整バルブ３４５０内であり、供給制御バルブ３４４０は三方の口は配管３４６０、配管３４６２および減圧調整配管３４６１に、また三方バルブである減圧調整バルブ３４５０の三方の口は一口のみ３４６０の配管３４６０に開いている。次いで、図３４の（ｂ）のように減圧調整バルブ３４５０の三方の口を移動させ配管３４６２と減圧調整配管３４６１のみが繋がるようにし、配管３４６０および供給制御バルブ３４４０内を減圧状態で固定し、続いて図３４の（ｃ）のように供給制御バルブ３４４０の三方の口を移動させ組成物供給部３４３０と配管３４６０を繋がるようにし、記録層形成組成物を供給制御バルブ３４４０および配管３４６０内に充填した後、図３４の（ｄ）のように減圧調整バルブ３４５０の三方の口を移動させ減圧調整配管３４６１を遮断し配管３４６０と配管３４６２が繋がるようにし記録層形成組成物を配管３４６０から減圧調整バルブ３４５０を通って配管３４６２へ供給することにより、図３４（ｅ）に示すように減圧状態の未充填記録メディアに記録層形成組成物を充填した充填記録メディア３４７０とすることができる。最後に減圧調整配管３４６１の減圧吸引をやめ常圧に戻し、減圧調整バルブ３４５０の三方の口を移動させ三方の口を配管３４６０、配管３４６２および減圧調整配管３４６１となるようにした後に、配管３４６２を外し、図３４の（ｆ）で示されるように基材保持部材に挟持された記録メディアへホログラフィック記録層形成組成物を充填することができる。
【０１３２】
前述の図３４のような減圧吸引記録層形成組成物充填手段を用いて未充填の記録メディアの基材間に記録層形成組成物を充填することにより、記録メディア全体の厚みがどの部分でも均一で、かつ所定ホログラフィック記録層の厚みを有する記録メディアを製造することができ、また共通の基材保持部材と間隙を維持するための規格管理された間隙保持部材をを用いることによりメディア間でのばらつきを少なくすることができる。
【０１３３】
また、ホログラフィック記録層を充填した状態で第１基材と第２基材間に挟持されたホログラフィック記録層に含まれる空気層を脱気により除去する気泡除去手段、前記気泡除去手段の後に熱またはホログラフィック露光時に使用する光とは異なる別波長の光を照射する硬化手段は、上述した第一から第四の態様で詳述したものを適時選択して用いることがでる、このうち硬化手段としては、例えば図３５の（ｃ）のようにして光硬化を行わせることができる。なお、気泡除去手段や硬化手段は図３４の（ｆ）のように配管を外した状態で行っても良いし、配管を外さない状態で行っても良い。
【０１３４】
さらに、必要に応じて行われる硬化手段を行った後に基材からはみ出たホログラフィック記録層形成組成物を除去する除去手段、硬化手段を行った後に該記録メディアを所定のサイズに切断するための切断手段、ホログラフィック記録層が露出している部分を封止するための封止手段についても上述した第一から第四の態様で詳述したものを適時選択して用いることができる。
【０１３５】
本発明のホログラフィック記録メディアの製造方法に用いられるホログラフィック記録層形成組成物としては、例えば特開平５−１０７９９９号、同６−３０１３２２号、同８−１０１５００号、同１０１５０１号、同８−１６０８４２号、米国特許６，１０３，４５４号、同６，４８２，５５１号、米国公開公報２００３−４４６９０号、世界特許２００３／２３５１９号、同２００３／２３５２０号等に記載されているものを適時選択して用いることができる。
【０１３６】
本発明のホログラフィック記録メディアの製造方法に用いられる第１基材および第２基材としては、透明であり使用環境温度で伸縮や曲がりを発生しないもの、さらには上述した記録用組成物に対して不活性なものであれば特に制限なく用いることができ、このような基材としては、石英ガラス、ソーダガラス、カリガラス、鉛クリスタルガラス、ほう珪酸ガラス、アルミノ珪酸ガラス、チタンクリスタルガラスあるいは結晶化ガラスなどのガラス、ポリカーボネート、ポリアセタール、ポリアリレート、ポリエーテルエーテルケトン、ポリスルホン及びポリエーテルスルホン、ポリイミド−アミドやポリエーテルイミドなどのポリイミド、ポリアミド、環状オレフィン系開環重合物などのポリオレフィンなどの各種樹脂を挙げることができる。
【０１３７】
前述の基材の中で、ホログラフィック露光する際の環境温度や湿度に対する厚み変動や気体透過性、ホログラフィック露光時に使用する光源波長の光の透過率の観点から、情報光及び参照光が入射する側である第１基材の材質としてはガラスにするのがより好ましい。また、第２基材は第１基材同様材質としてはガラスが好ましいいが、ホログラフィック記録された情報をＣＣＤで読み出す際に焦点補正機構を設けた装置であれば、伸縮率や厚み変動が押さえられたガラスのような基材ではなく樹脂から成る基材であっても良い。
【０１３８】
また、情報光及び参照光が入射する側の第１基材の入射する光の透過率は７０％以上が好ましく、さらには８０％以上がホログラフィック記録層に到達する光のロスが少ないことからより好ましい。このように透過率をなるべく上げるためには、ホログラフィック記録層が積層された面とは反対の第１基材面に反射防止処理を施したものが好ましく、このような反射防止処理としては第１基材を形成する組成物よりも屈折率が低ければ特に制限はないが、例えばＡｌＦ３、ＭｇＦ２、ＡｌＦ３・ＭｇＦ２、ＣａＦ２等の無機金属フッ化物、フッ化ビニリデン、パーフロロエチレンなどのフッ素原子を含有すホモポリマー、コポリマー、グラフト重合体、ブロック重合体さらにはフッ素原子を含有する官能基で修飾した変性ポリマー等の有機フッ化物などが、基材として前述で詳述したものよりも屈折率が低くなることから好ましい。
【０１３９】
なお、基材上にフッ素系の化合物からなる層を設ける方法としては、支持体やフッ素系の化合物の種類により一概に決めることはできないが、ゾルゲル法、真空蒸着法、スパッタリング法、ＣＶＤ法あるいは塗工法などの公知の方法、あるいは特開平７−２７９０２号、特開２００１−１２３２６４号、同２００１−２６４５０９号等公報等に記載された方法などを適時選択して用いることができる。
【０１４０】
このような反射防止層は基材の表面処理や材質などにより一概に規定することはできないが、通常０．００１〜２０μｍの範囲であり、好ましくは０．００５〜１０μｍの範囲である。
【０１４１】
また、特開２００２−１２３９４９号、世界特許９９／５７７１９号等のホログラフィック記録・再生装置に用いられるような記録メディアに対しては第二の基材ホログラフィック記録層が積層される面あるいはその反対面に反射層が設けらることが好ましく、このように反射層を設ける場合には反射させる光の波長に対して反射率を７０％以上にするのが好ましく、さらには８０％以上にするのがより好ましい。
【０１４２】
このような反射層は、所望する反射率が得られれば特に材質に制限はないが、通常、金属などの薄膜を基材表面に設けることにより積層することができる。例えば、このような反射層を形成するためには真空蒸着法、イオンプレーティング法、スパッタリング法などの公知の方法によって金属薄膜として、金属の単結晶又は多結晶として積層することができ、金属薄膜を積層するために用いられる金属としては、アルミニウム、亜鉛、アンチモン、インジウム、セレン、錫、タンタル、クロム、鉛、金、銀、白金、ニッケル、ニオブ、ゲルマニウム、珪素、モリブデン、マンガン、タングステン、パラジウム等の金属を１種或いは２種以上併用などにより形成することができる。この金属薄膜層の厚みは、所望する反射率を得ることができればどのような膜厚であっても構わないが、通常１〜３０００ｎｍの範囲であり、好ましくは５〜２０００ｎｍの範囲である。
【０１４３】
一方、ホログラフィック記録メディアにおいては、ホログラフィック記録層をできるだけ厚くすることで、高記憶容量の記録メディアを作製することができる。しかしながら、記録メディアの使用環境や記録された情報の読み取り誤差などを考慮した場合、本発明においては、第１基材の厚みをＤ１、第２基材の厚みをＤ２、ホログラフィック記録層の厚みをＤｈとした際に、０．１５≦Ｄｈ／（Ｄ１＋Ｄ２）≦２．０の関係を満たすことが好ましい。
【０１４４】
ここで、０．１５＜Ｄｈ／（Ｄ１＋Ｄ２）ではホログラフィック記録層の膜厚を厚くできない、あるいは記録層の膜厚を厚くし場合には基材の厚みを厚くする必要があり記録メディア全体の厚みが厚くなってしまう。この場合、記録メディア単体としての質量が大きく装置の駆動系への負荷が生じる場合があることから好ましくない。また、Ｄｈ／（Ｄ１＋Ｄ２）＜２．０の場合には、記録層の膜厚を確保しつつ記録メディアの厚みを薄くすることは可能となるが、基材の厚みに対して記録層の膜厚が厚くなり、記録メディアの面精度や使用環境温度における記録層の膜厚ムラ、不慮の応力が掛かった際に記録層の膜厚変動、さらには第１基材と第２基材がずれてしまう場合が有ることから好ましくない。
【０１４５】
さらに、ホログラフィック露光時のエネルギー損失の面から第１基材の厚みＤ１、第２基材の厚みＤ２の関係がＤ１≦Ｄ２であることが好ましく、また記録メディアの平面性を確保するためにはＤ１とＤ２の厚みの比率としては０．２０≦Ｄ１／Ｄ２≦１．００の範囲にするのがより好ましい。
【０１４６】
また、ホログラフィック記録層の厚みＤｈとしては記録層の回折効率やダイナミックレンジ、空間分解能などにより一概に決められないが、通常２００μｍ以上、２．０ｍｍ以下であること好ましく、２００μｍ未満では高記憶容量の記録メディアを得ることができず、２．０ｍｍよりも厚い場合には、記録メディアの面精度や使用環境温度における記録層の厚みムラが生じる場合が有ることから好ましくない。
【０１４７】
一方記録メディアの形状としては、該記録メディアに使用されるホログラフィック記録・再生装置に適したものであれば特に制限はないが、例えば米国特許５，７１９，６９１号、特開２００２−１２３９４９号等に記載された装置に用いるものであればディスク状をしたものが好ましく、世界特許９９／５７７１９号などに記載された装置を用いるのであればカード状のものが好ましい。
【０１４８】
以上述べてきたように、本発明の製造方法では、基材間の均一な間隙を維持するために基材保持部材、間隙保持部材を用い、さらにホログラフィック記録層形成組成物を充填する方法を種々選択し、さらに基材間の均一な間隙を維持したまま硬化手段により硬化させることにより、記録メディア全体の厚みがどの部分でも均一で、かつ所定ホログラフィック記録層の厚みを有する記録メディアを製造することができ、またメディア間でのばらつきを少なくすることができる。さらに本発明の製造方法で製造されたホログラフィック記録メディアは、ロット間に差が無くさらには記録メディア内の記録層の厚みが均一でありかつ基材の面精度も高いことから、記録・再生する場合の信頼性が高いものとなる。
【０１４９】
【発明の効果】
本発明により、形状変化が少なく、かつ記録メディア間でのばらつきの少ないホログラフィック記録メディアの製造方法を提供することができた。
【図面の簡単な説明】
【図１】ホログラフィック記録メディアの概略構成図である。
【図２】第１基材と第２基材とを所定の間隙とする間隙形成手段として間隙保持部材を用いたホログラフィック記録メディアの製造方法の一例を示す。
【図３】間隙保持部材を用いた場合のホログラフィック記録メディアの製造方法の一例を示す。
【図４】基材の形状とは異なる基材保持部材を用いた製造方法の一例を示す。
【図５】図３で示したホログラフィック記録メディアを製造するための基材と基材保持部材とを重ね合わせた際の断面図である。
【図６】図４で示したホログラフィック記録メディアを製造するための基材と基材保持部材とを重ね合わせた際の断面図である。
【図７】外側を所定の間隔を維持し保持するための部材を上部から見た平面図である。
【図８】図７で示した部材の一部を拡大した図である。
【図９】内側を所定の間隔を維持し保持するための部材である。
【図１０】間隙保持部材、第１基材および第２基材を組み合わせた際の断面図である。
【図１１】間隙保持部材を用いた製造方法の一例を示す。
【図１２】任意の形状のホログラフィック記録メディアを作製する方法の一例を示す。
【図１３】第１基材と第２基材とを所定の間隙に保持するための基材保持部材を用いて記録メディアを製造するための一例である。
【図１４】第１基材と第２基材とを所定の間隙に保持するための基材保持部材を用いて記録メディアを製造するための一例である。
【図１５】図１４で示した基材保持部材で所定の間隙を形成した基材間へホログラフィック記録層形成組成物を充填する方法を示した図である。
【図１６】第１基材と第２基材とを所定の間隙に保持するための間隙保持部材と各基材保持部材を用いて記録メディアを製造するための一例である。
【図１７】各基材を間隙保持部材を介して対応する基材保持部材の基材を保持する面に密着させ、該基材保持部材同士を加圧して重ね合わせた状態の図である。
【図１８】図１７で示した間隙保持部材と基材保持部材で所定の間隙を形成した基材間へホログラフィック記録層形成組成物を充填する方法を示した図である。
【図１９】複数枚同時に製造することができる基材保持部材を示す。
【図２０】間隙維持部を設けた基材の例を示す。
【図２１】予め第１基材、間隙保持部材および第２基材を強固に接合して間隙を維持した部材を用いた場合の製造方法の一例を示す。
【図２２】記録層未充填記録メディアを直列に接続チューブで接続した図を示す。
【図２３】接続チューブで直列に繋いだ記録層未充填記録メディアへ、記録層形成組成物を充填するために配置した配置図の一例である。
【図２４】超音波振動機を気泡除去手段として用いた場合の一例である。
【図２５】基材からはみ出たホログラフィック記録層形成組成物を除去する除去手段の例を示す。
【図２６】複数枚を一度に処理することができる除去手段を示す。
【図２７】ホログラフィック記録層が露出している部分を封止するため治具の一例である。
【図２８】封止治具や封止材を用いた具体的な封止方法を示す。
【図２９】第１基材と第２基材を間隙保持部材で挟持したホログラフィック記録層形成組成物が未充填の記録メディアの構成図である。
【図３０】未充填記録メディアへのホログラフィック記録層形成組成物を充填させる方法の一例である。
【図３１】第１基材と第２基材を間隙保持部材で挟持したホログラフィック記録層形成組成物が未充填の記録メディアの構成図である。
【図３２】基材保持部材を表す。
【図３３】基材保持部材を用いて未充填の記録メディアを装填した図である。
【図３４】基材保持部材に挟持された未充填記録メディアへのホログラフィック記録層形成組成物を充填させる方法の一例である。
【図３５】光を記録メディア全体に渡って照射することにより硬化する方法を示す。
【図３６】加熱処理により硬化する方法を示す。
【符号の説明】
１００  ホログラフィック記録メディア
１０１，２３０，３３０，４３０  第１基材
１０２，３５０，３５１，４５０  ホログラフィック記録層形成組成物
１０３，２４０，３４０，４４０  第２基材
２１０，３１０，４１０  第１基材保持部材
２１１  間隙保持部
２１２，２２２，４１２  減圧吸引孔
２１３  凹部
２２０，３２０，４２０  第２基材保持部材
２２３  凸部
２４１，２４２  排出部
７６０，９１０  間隙保持部材
７１０，９１１  間隙保持部
２１５１  記録層形成組成物注入部
２１５２  記録層形成組成物排出部
【図１】
2004354586.tif 000003
【図２】
2004354586.tif 000004
【図３】
2004354586.tif 000005
【図４】
2004354586.tif 000006
【図５】
2004354586.tif 000007
【図６】
2004354586.tif 000008
【図７】
2004354586.tif 000009
【図８】
2004354586.tif 000010
【図９】
2004354586.tif 000011
【図１０】
2004354586.tif 000012
【図１１】
2004354586.tif 000013
【図１２】
2004354586.tif 000014
【図１３】
2004354586.tif 000015
【図１４】
2004354586.tif 000016
【図１５】
2004354586.tif 000017
【図１６】
2004354586.tif 000018
【図１７】
2004354586.tif 000019
【図１８】
2004354586.tif 000020
【図１９】
2004354586.tif 000021
【図２０】
2004354586.tif 000022
【図２１】
2004354586.tif 000023
【図２２】
2004354586.tif 000024
【図２３】
2004354586.tif 000025
【図２４】
2004354586.tif 000026
【図２５】
2004354586.tif 000027
【図２６】
2004354586.tif 000028
【図２７】
2004354586.tif 000029
【図２８】
2004354586.tif 000030
【図２９】
2004354586.tif 000031
【図３０】
2004354586.tif 000032
【図３１】
2004354586.tif 000033
【図３２】
2004354586.tif 000034
【図３３】
2004354586.tif 000035
【図３４】
2004354586.tif 000036
【図３５】
2004354586.tif 000037
【図３６】
2004354586.tif 000038